(57)【要約】【課題】本体組立て時にコード被服を傷付ける恐れの無い電気掃除機を提供する。【解決手段】プラグ２１の抜け止め部２６を有するコードストッパー２５を具備するコードリール８ユニットにおいて、最初にプラグ２１とは逆側の端から電源コード２０をコードストッパー２５に通した状態でリール２２に電源コード２０を組み付け、次にリール２２をリール支持体２３に組込みコードリール８のユニット状態にすることで、組立て時に電源コード２０の被服を傷付けるのを防止することができる。【選択図】図６
2014018267.tif 000002
【特許請求の範囲】
【請求項１】
塵埃を吸引する為の電動送風機と、先端にプラグを有する電源コードを巻き取り収納するコードリールとを内蔵した掃除機本体において、
前記コードリールを、前記電源コードを巻き取るリールと、前記リールを前記掃除機本体の内部に回動可能に支持するリール支持体と、前記電源コードのプラグの抜け止め部を有するコードストッパーと、から構成し、
前記コードストッパーを、前記掃除機本体の上部に形成されたコード出口部に、前記掃除機本体の上本体と下本体とで狭持させることで配置させたことを特徴とする電気掃除機。
【請求項２】
コードストッパーの抜け止め部全周に外側へ突出する滑らかなＲ形状を有する厚肉部を設けたことを特徴とする請求項１に記載の電気掃除機。
【請求項３】
リール支持体の縦横方向の投影面積を上記リールの直径方向の投影面積より小さくしたことを特徴とする請求項１または２に記載の電気掃除機。
【請求項４】
コードストッパーの開口部外周端の全周に掃除機本体の上本体と下本体に狭持される溝部を設けたことを特徴とする請求項１〜３のいずれか１項に記載の電気掃除機。
【請求項５】
コードストッパーの材質をポリプロピレン（ＰＰ）樹脂としたことを特徴とする請求項１〜４のいずれか１項に記載の電気掃除機。
【請求項６】
コードストッパーの材質をポリアセタール（ＰＯＭ）樹脂もしくは超高分子量ポリエチレン樹脂としたことを特徴とする請求項１〜４のいずれか１項に記載の電気掃除機。
【発明の詳細な説明】
【技術分野】
【０００１】
本発明は、電源コードを巻き取り収納するコードリールを備えた電気掃除機に関するものである。
【背景技術】
【０００２】
従来、この種の電気掃除機は、本体に収納される電動送風機及びコードリール部とを備え、コードリール部は、先端にプラグを有するコードと、コードを捲回するリールと、リールを本体の内部に回動可能に支持するリール支持体と、後部ケースに形成された接続口部とリールとの間に配設されリールに対するコードの巻き取りをガイドする筒状のガイドカバーとからなり、ガイドカバーは、ガイドカバーの筒壁を軸線方向に沿って一定の幅で切り抜くコード挿通用の切り抜き部と、リール側の口部に配設され切り抜き部から挿通されたコードのプラグの抜けを止めるプラグ抜け止め部とを具備していた（例えば、特許文献１参照）。
【先行技術文献】
【特許文献】
【０００３】
【特許文献１】特開平９−２０１３１８号公報
【発明の概要】
【発明が解決しようとする課題】
【０００４】
しかしながら、上記従来の構成では、コードをガイドカバーの筒壁を軸線方向に沿って一定の幅で切り抜くコード挿通用の切り抜き部に通す際にコード被服を傷付ける恐れがあり安全上好ましくない課題があった。本発明は上記課題を解決するもので、組立て時にコード被服を傷付ける恐れの無いコードリールユニットを有する電気掃除機を提供することを目的とする。
【課題を解決するための手段】
【０００５】
塵埃を吸引する為の電動送風機と、先端にプラグを有する電源コードを巻き取り収納するコードリールとを内蔵した掃除機本体において、前記コードリールを、前記電源コードを巻き取るリールと、前記リールを前記掃除機本体の内部に回動可能に支持するリール支持体と、前記電源コードのプラグの抜け止め部を有するコードストッパーと、から構成し、前記コードストッパーを、前記掃除機本体の上部に形成されたコード出口部に、前記掃除機本体の上本体と下本体とで狭持させることで配置させたことにより、プラグの抜け止め部を有するコードストッパーに最初に電源コードを通した状態でリールに電源コードを組込み、次にリールをリール支持体に組込みコードリールのユニット状態にすることで、組立て時に電源コードの被服を傷付けるのを防止しすることができる。
【０００６】
またコードリールをコードストッパーを有するユニットとしたことにより、掃除機本体へのコードリールユニットの組み立て時にも掃除機本体のコード出口部に電源コードのプラグ部を通す等の作業を行う必要が無く、コードリールユニットを掃除機本体にセットした後、コードストッパーをコード出口部で上本体と下本体とによって挟み込むだけでよく、容易に組立作業を行うことができる。
【発明の効果】
【０００７】
本発明によれば、組立て時に電源コードの被服を傷付けるのを防止すると共に容易に組立作業を行うことができる電気掃除機を提供することができる。
【図面の簡単な説明】
【０００８】
【図１】本発明の実施の形態１における電気掃除機の平面図
【図２】同、電気掃除機の側面図
【図３】同、電気掃除機の後面図
【図４】同、電気掃除機の図１におけるＡ−Ａ断面図
【図５】同、電気掃除機のコードストッパーに電源コードを通しリールに組込んだ状態図
【図６】（ａ）同、電気掃除機のコードリールユニットの左側面図、（ｂ）同、電気掃除機のコードリールユニットの右側面図
【図７】同、電気掃除機の図１におけるＢ−Ｂ断面図
【図８】同、電気掃除機のコードストッパーの斜視図
【発明を実施するための形態】
【０００９】
第１の発明は、塵埃を吸引する為の電動送風機と、先端にプラグを有する電源コードを巻き取り収納するコードリールとを内蔵した掃除機本体において、前記コードリールを、前記電源コードを巻き取るリールと、前記リールを前記掃除機本体の内部に回動可能に支持するリール支持体と、前記電源コードのプラグの抜け止め部を有するコードストッパーと、から構成し、前記コードストッパーを、前記掃除機本体の上部に形成されたコード出口部に、前記掃除機本体の上本体と下本体とで狭持させることで配置させたことにより、プラグの抜け止め部を有するコードストッパーに最初に電源コードを通した状態でリールに電源コードを組込み、次にリールをリール支持体に組込みコードリールのユニット状態にすることで、組立て時に電源コードの被服を傷付けるのを防止しすることができる。
またコードリールをコードストッパーを有するユニットとしたことにより、掃除機本体へのコードリールユニットの組み立て時にも掃除機本体のコード出口部に電源コードのプラグ部を通す等の作業を行う必要が無く、コードリールユニットを掃除機本体にセットした後、コードストッパーをコード出口部で上本体と下本体とによって挟み込むだけでよく、容易に組立作業を行うことができる。
【００１０】
第２の発明は、特に第１の発明において、コードストッパーの抜け止め部全周に外側へ突出する滑らかなＲ形状を有する厚肉部を設けたことにより、電源コードの引き出し時に電源コードの外被とコードストッパーの抜け止め部との接触は、外側へ突出する滑らかなＲ形状を有する厚肉部により非常に滑らかに行われ、電源コードの外被とコードストッパーの抜け止め部との著しい削れや磨耗を防止しすることができ、電源コードの被服を傷付けるのを防止しすることができる。
【００１１】
第３の発明は、特に第１または第２の発明において、リール支持体の縦横方向の投影面積を上記リールの直径方向の投影面積より小さくしたことにより、リール支持体の小型化、軽量化、低コスト化をはかることができ、小型、軽量、低コストの掃除機本体を提供することができる。
【００１２】
第４の発明は、特に第１〜３のいずれか１つの発明において、コードストッパーの開口部外周端の全周に掃除機本体の上本体と下本体に狭持される溝部を設けたことにより、溝部に上本体と下本体の壁面の端部を挿入することでコードストッパーをコード出口部で上本体と下本体とによって確実に挟み込んで固定することができると共に、容易に組立作業を行うことができる。
【００１３】
第５の発明は、特に第１〜４のいずれか１つの発明において、コードストッパーの材質をポリプロピレン（ＰＰ）樹脂としたことにより、電気掃除機の本体の外郭部分は外観を重視して合成樹脂材料のＡＢＳやＰＳを使用する場合が多いが、コード出口部に上本体と下本体に狭持され前記電源コードのプラグの抜け止め部を有するコードストッパーも本体
外郭部分となる、しかし上記合成樹脂材料のＡＢＳやＰＳは外観は良好であるが、耐摩耗性が悪く、電源コードの引き出し時に電源コードの外被との摩擦により容易に磨耗していくという問題を有している。上記コードストッパーの材質をポリプロピレン（ＰＰ）樹脂としたことにより、ＡＢＳやＰＳのように外観は良いが、耐摩耗性の低い材質と異なり、ポリプロピレン（ＰＰ）樹脂を用いることで耐摩耗性が良く短期間で磨耗することを防止することができ、接触する電源コードの被服の傷付きを防止しすることができる。
【００１４】
第６の発明は、特に第１〜４のいずれか１つの発明において、コードストッパーの材質をポリアセタール（ＰＯＭ）樹脂もしくは超高分子量ポリエチレン樹脂としたことにより、ＡＢＳやＰＳのように外観は良いが、耐摩耗性の低い材質と異なり、ポリアセタール（ＰＯＭ）樹脂もしくは超高分子量ポリエチレン樹脂を用いることで低摩擦抵抗性と耐摩耗性が更に良く短期間で磨耗することを防止することができ、接触する電源コードの被服の傷付きを防止しすることができる。
【００１５】
以下、本発明の実施の形態について、図面を参照しながら説明する。なお、この実施の形態によってこの発明が限定されるものではない。
【００１６】
（実施の形態１）
本発明の第１の実施の形態における電気掃除機について、図１〜図８を用いて説明する。図１は、本発明の実施の形態１における電気掃除機の平面図、図２は同電気掃除機の側面図、図３は同電気掃除機の後面図、図４は同電気掃除機の図１のＡ−Ａ断面図、図５は同電気掃除機のコードストッパーに電源コードを通しリールに組込んだ状態図、図６（ａ）は同電気掃除機のコードリールユニットの左側面図、図６（ｂ）は同電気掃除機のコードリールユニットの右側面図、図７は同電気掃除機の図１におけるＢ−Ｂ断面図、図８は同電気掃除機のコードストッパーの斜視図である。
【００１７】
本実施の形態における電気掃除機において、１は掃除機本体で、この掃除機本体１の主な外郭部品としては、下本体２、集塵室蓋３、上本体４から成り例えば合成樹脂などにより形成されている。この下本体２の内部には、隔壁６が設けられ、この隔壁６の後側に、電動送風機７を収容する図示しない電動送風機室及び、先端にプラグ２１を有する電源コード２０を巻き取り収納する為のコードリール８を収容する図示しないコードリール室がそれぞれ区画されている。
【００１８】
隔壁６の前側には、この隔壁６に設けられた連通口９を介して電動送風機７の吸込側に連通する集塵室１０が区画され、この集塵室１０に、紙パック１１などの集塵袋が着脱可能に配置されている。なおサイクロン掃除機などの場合には、集塵カップなどの集塵装置が着脱可能に配置されることとなる。
【００１９】
前記コードリール８は、電源コード２０を巻き取るリール２２と、このリール２２を掃除機本体１の内部に回動可能に支持するリール支持体２３と、掃除機本体１の上部に形成されたコード出口部２４に上本体４と下本体２に狭持され電源コード２０のプラグ２１の抜け止め部２６を有するコードストッパー２５から成るユニットとしている。
【００２０】
また、コードストッパー２５の抜け止め部２６の全周には、外側へ突出する滑らかなＲ形状を有する厚肉部２７が設けられており、電源コード２０の引き出し時に電源コード２０の外被とコードストッパー２５の抜け止め部２６との接触は、外側へ突出する滑らかなＲ形状を有する厚肉部２７により非常に滑らかに行われる。
【００２１】
また、コードストッパー２５の材質は、耐摩耗性が良く短期間で磨耗することのないポリプロピレン（ＰＰ）樹脂で形成されているが、さらに低摩擦抵抗性と耐摩耗性を向上さ
せるためには、ポリアセタール（ＰＯＭ）樹脂もしくは超高分子量ポリエチレン樹脂で形成してもよい。
【００２２】
また、リール支持体２３の縦横方向の投影面積（縦×横）は、小型化、軽量化、低コスト化をはかる為にリール２２の直径方向の投影面積（直径×直径×π／４）よりも小さく形成されており小型、軽量、低コストの掃除機本体１を提供することができるものである。
【００２３】
また、コードストッパー２５の開口部外周端の全周に上本体４と下本体２に狭持される溝部２８が設けられおり、溝部２８に上本体４と下本体２の壁面の端部を挿入することでコードストッパー２５をコード出口部２４で上本体４と下本体２とによって確実に挟み込んで固定することができる。
【００２４】
下本体２の両側方には、掃除機本体１の走行用の大径の走行輪１２が回転自在に軸支されている。また、下本体２の前部には、図示しない床ノズルや延長管を有するホース体の接続側が着脱可能に接続される本体吸込口１３が集塵室１０に連通して設けられている。
【００２５】
上本体４には、蓋体としての集塵室蓋３が回動自在に軸支されて集塵室１０を開閉可能としている。この集塵室蓋３の後部には、略Ｕ字状の切欠部１７が形成されており、前記略Ｕ字状の切欠部１７の両端の内壁には回動軸１８が設けられ前記上本体４の上部に形成された軸支孔１９に挿入され回動自在に軸支されている。
【００２６】
略Ｕ字状の切欠部１７両端が分離し、たわみ易くしているため、略Ｕ字状の切欠部１７の両端の内壁に設けられた回動軸１８を上本体４に設けられた軸支孔１９へ着脱を行う組立・分解作業が、非常に容易に行うことができるものである。
【００２７】
また上本体４の上部の略中央部には凹部１４が、集塵室蓋３の後部に形成された略Ｕ字形状の切欠部１７に沿うように形成されており、この凹部１４の上方には、作業者が把持して掃除機本体１を持ち上げるための把手部５が取り付けられている。またこの凹部１４の後方は開放されており把手部５に掃除機本体１の後方より手を挿入し易くなっている。
【００２８】
また把手部５は、略Ｕ字状の切欠部１７の両側の内壁に把手部５の両端が近接するように配設されており、つまりは略Ｕ字状の切欠部１７の両側の内壁に向かって把手部５が橋渡しされるように、換言すれば掃除機本体１の略中央部の左右方向に把手部５が配設されている。そして把手部５は、電動送風機７と電源コードを巻き取り収納する為のコードリール８の上部に位置している。
【００２９】
またさらにこの把手部５には、電動送風機７の動作を制御する本体スイッチ１５とコードリール８の動作を制御する電源コードの巻取用の巻き取り押釦１６とが配設されている。
【００３０】
また上記したように前記集塵室蓋３の後部に形成された略Ｕ字状の切欠部１７内に前記把手部５が配設されると共に、前記集塵室蓋３の回動軸１８は前記把手部５の位置よりも後方に設けられており、ほぼ掃除機本体１の後部領域に集塵室蓋３の回動軸１８及び軸支孔１９から成る回動中心が設けられた構成となる。
【００３１】
したがって、前記集塵室蓋３を開閉した時の回動中心が把手部５よりも後で且つ回動半径が大きく取れるため前記把手部５に集塵室蓋３が接触する心配がなく、前記集塵室蓋３を開閉した時の集塵室蓋３と把手部５との接触を防止することができるものである。
【００３２】
以上のように構成された電気掃除機において、その動作を説明する。電動送風機７は、電源コード２０を介して電源から給電され、電動送風機７の動作を制御する本体スイッチ１５をオンすることにより図示しない床ノズルや延長管を有するホース体を介して空気とともに塵埃を吸い込み、吸い込まれた塵埃は集塵室１０内の紙パック１１に蓄積される。
【００３３】
ここで、コードリール８を電源コード２０を巻き取るリール２２と、このリール２２を本体の内部に回動可能に支持するリール支持体２３と、本体の上部に形成されたコード出口部２４に上本体４と下本体２に狭持され電源コード２０のプラグ２１の抜け止め部２６を有するコードストッパー２５から成るユニットとしている。
【００３４】
これにより、プラグ２１の抜け止め部２６を有するコードストッパー２５に最初にプラグ２１とは逆側の端から電源コード２０を通した状態でリール２２に電源コード２０を組込み、次にリール２２をリール支持体２３に組込みコードリール８のユニット状態にすることで、組立て時に電源コード２０の被服を傷付けるのを防止しすることができるものである。
【００３５】
また、コードリール８をコードストッパー２５を有するユニットとしたことにより、掃除機本体１へのコードリール８ユニットの組み立て時にも掃除機本体１のコード出口部２４に電源コード２０のプラグ２１部を通す等の作業を行う必要が無く、コードリール８ユニットを掃除機本体１にセットした後、コードストッパー２５をコード出口部２４で上本体４と下本体２とによって挟み込むだけでよく、容易に組立作業を行うことができるものである。
【００３６】
また、コードストッパー２５の抜け止め部２６の全周に外側へ突出する滑らかなＲ形状を有する厚肉部２７を設けたことにより、電源コード２０の引き出し時に電源コード２０の外被とコードストッパー２５の抜け止め部２６との接触は、外側へ突出する滑らかなＲ形状を有する厚肉部２７により非常に滑らかに行われ、電源コード２０の外被とコードストッパー２５の抜け止め部２６との著しい削れや磨耗を防止しすることができ、電源コード２０の被服を傷付けるのを防止しすることができるものである。
【００３７】
また、コードストッパー２５の材質はポリプロピレン（ＰＰ）樹脂で形成されている。このことにより、掃除機本体１の外郭部分は外観を重視して合成樹脂材料のＡＢＳやＰＳを使用する場合が多いが、コード出口部２４に上本体４と下本体２に狭持され前記電源コード２０のプラグ２１の抜け止め部２６を有するコードストッパー２５も本体外郭部分となる。
【００３８】
しかし上記合成樹脂材料のＡＢＳやＰＳは外観は良好であるが、耐摩耗性が悪く、電源コード２０の引き出し時に電源コード２０の外被との摩擦により容易に磨耗していくという問題を有している。上記コードストッパー２５の材質をポリプロピレン（ＰＰ）樹脂としたことにより、ＡＢＳやＰＳのように外観は良いが、耐摩耗性の低い材質と異なり、耐摩耗性が良く短期間で磨耗することを防止することができ、接触する電源コード２０の被服の傷付きを防止しすることができるものである。
【００３９】
さらにここで、コードストッパー２５の材質をポリアセタール（ＰＯＭ）樹脂もしくは超高分子量ポリエチレン樹脂で形成した場合には、ＡＢＳやＰＳのように外観は良いが、耐摩耗性の低い材質と異なり、ポリアセタール（ＰＯＭ）樹脂もしくは超高分子量ポリエチレン樹脂を用いることで低摩擦抵抗性と耐摩耗性が更に良くなり短期間で磨耗することを防止することができ、接触する電源コード２０の被服の傷付きを更に防止しすることができるものである。
【００４０】
また、リール支持体２３の縦横方向の投影面積（縦×横）をリール２２の直径方向の投影面積（直径×直径×π／４）より小さくしたことにより、リール支持体２３の小型化、軽量化、低コスト化をはかることができ、小型、軽量、低コストの掃除機本体１を提供することができるものである。
【００４１】
また、コードストッパー２５の開口部外周端の全周に上本体４と下本体２に狭持される溝部２８が設けられている。このことにより、溝部２８に上本体４と下本体２の壁面の端部を挿入することでコードストッパー２５をコード出口部２４で上本体４と下本体２とによって確実に挟み込んで固定することができると共に、容易に組立作業を行うことができるものである。
【００４２】
集塵室蓋３の後部に形成された略Ｕ字状の切欠部１７内に前記把手部５が配設されると共に、前記集塵室蓋３の回動軸１８は、前記把手部５の位置よりも後方に設けられており、ほぼ掃除機本体１の後部領域に集塵室蓋３の回動軸１８及び軸支孔１９から成る回動中心が設けられた構成となることにより、前記集塵室蓋３を開閉した時の回動中心が把手部５よりも後方で且つ回動半径が大きく取れるため前記把手部５に集塵室蓋３が接触する心配がなく、前記集塵室蓋３を開閉した時の集塵室蓋３と把手部５との接触を防止することができるものである。
【００４３】
また同様の理由により把手部５を上本体４の外郭上面からより上方へ突出させて形成することができ、より握り易い把手部５を形成することで掃除機本体１を容易に持ち上げることができるものである。把手部５の下方の本体外郭である上本体４に凹部１４を形成していない場合においても、把手部５をより上方へ突出させて形成することで上本体４の外郭上面と把手部５との間の空間を大きく取れ、手を挿入し易くし、より握り易い把手部５を形成することで掃除機本体１を容易に持ち上げることができるものである。
【００４４】
なお、上記実施の形態において、集塵室１０には、集塵袋に代えて、例えばサイクロン式の集塵カップなどの集塵装置を取り付けてもよいものである。
【産業上の利用可能性】
【００４５】
以上のように、本発明にかかる電気掃除機は、組立て時に電源コードの被服を傷付ける恐れがなく、容易に組立作業を行うことができる電気掃除機に特に有用である。
【符号の説明】
【００４６】
１  掃除機本体
２  下本体
４  上本体
７  電動送風機
８  コードリール
２０  電源コード
２１  プラグ
２２  リール
２３  リール支持体
２４  コード出口部
２５  コードストッパー
２６  抜け止め部
２７  厚肉部
２８  溝部
【図１】
2014018267.tif 000003
【図２】
2014018267.tif 000004
【図３】
2014018267.tif 000005
【図４】
2014018267.tif 000006
【図５】
2014018267.tif 000007
【図６】
2014018267.tif 000008
【図７】
2014018267.tif 000009
【図８】
2014018267.tif 000010